(57)【要約】【課題】床や天井や間仕切壁以外の壁が施工済みの状態でも間仕切壁を設置可能であり、間仕切壁を解体したときには床や天井や間仕切壁以外の壁が元通りの状態に復元可能な住宅を提供する。【解決手段】枠部材10を所定の長さに切断して下枠20とし、この下枠20を、床用面材80の上面における間仕切り壁を構築しようとする位置に固定し、枠部材10を所定の長さに切断して上枠30とし、この上枠30を、下枠20と平行に、天井用面材90の下面における間仕切り壁を構築しようとする位置に固定し、枠部材10を下枠20の上面から上枠30の下面までの距離に合った長さに切断して縦枠40とし、この縦枠40を、下枠20と上枠30との間の所定位置に立設し、下枠20、上枠30および縦枠40から構成される枠体に、壁用面材60を固定して、間仕切壁とする。【選択図】図６
2009191536.tif 000002
【特許請求の範囲】
【請求項１】
四角柱状の長尺の部材である枠部材を所定の長さに切断して形成される下枠、上枠および複数の縦枠と、各縦枠と下枠との係合および各縦枠と上枠との係合に用いられる複数の係合具と、下枠、上枠および複数の縦枠によって形成される枠体に固定される壁用面材とを用いて間仕切壁が構築される住宅であって、
枠部材は、両小口以外の４面のうち、いずれかの対向する２面に、それぞれ、一方の小口から他方の小口まで至る長溝が形成され、
下枠は、枠部材を所定の長さに切断して形成されるものであって、長溝が形成された２面のうちいずれか一方を上向きにして、床用面材の上面における間仕切り壁を構築しようとする位置に固定され、
上枠は、枠部材を所定の長さに切断して形成されるものであって、長溝が形成された２面のうちいずれか一方を下向きにし、かつ、下枠と平行になるようにして、天井用面材の下面における間仕切り壁を構築しようとする位置に固定され、
各縦枠は、枠部材を下枠上面から上枠下面までの距離に合った長さに切断して形成されるものであって、長溝が形成された２面のうちいずれか一方を隣接する他の縦枠側へ向けて、下枠と上枠との間の所定位置に立設され、
各係合具は、基部と、基部の一端から基部に対してほぼ垂直方向へ向けて突出する第１突出片と、基部における第１突出片とは反対側の端部から基部に対してほぼ垂直方向へ向けてかつ第１突出片と対向するように突出する第２突出片とを有し、
各縦枠の下端においては、各係合具は、第１突出片および第２突出片を上向きにされ、第１突出片を縦枠の一方の長溝に、第２突出片を縦枠の他方の長溝に、それぞれ差し込まれるとともに、基部を下枠上面の長溝に差し込まれ、これにより、各縦枠と下枠とが係合し、
各縦枠の上端においては、各係合具は、第１突出片および第２突出片を下向きにされ、第１突出片を縦枠の一方の長溝に、第２突出片を縦枠の他方の長溝に、それぞれ差し込まれるとともに、基部を上枠下面の長溝に差し込まれ、これにより、各縦枠と上枠とが係合していることを特徴とする住宅。
【請求項２】
係合具は、弾性を有する材料を用いて一体的に形成され、
第１突出片および第２突出片は、基部から離れるにしたがって相互の間隔が次第に狭くなるように形成され、第１突出片と第２突出片との間で最も広いところの間隔は、枠部材の対向する２面に形成された両長溝の底面の間隔よりも広く、かつ、第１突出片と第２突出片との間で最も狭いところの間隔は、枠部材の対向する２面に形成された両長溝の底面の間隔よりも狭くなるように形成されていることを特徴とする請求項１記載の住宅。
【発明の詳細な説明】
【技術分野】
【０００１】
本発明は、住宅に関し、さらに詳しくは、大空間内に着脱可能に間仕切壁を設けて、間取りの変更を容易にした住宅に関するものである。
【背景技術】
【０００２】
近年、長期間の耐久性を有しつつ、居住空間の可変性を有する、いわゆるスケルトン・インフィル住宅（ＳＩ住宅）の開発・普及が求められている。
ここで、スケルトンは、住宅の柱や梁などの構造部分を意味し、インフィルは、住宅の間取りや内装などを意味するものである。
そして、ＳＩ住宅は、スケルトンとインフィルとを分離した構成とし、スケルトンを高強度に構築して長期間の耐久性を有するようにしつつも、間取りや内装などの可変性を有するようにした住宅であり、長く住むことができ、しかも、住人のライフスタイルや家族構成の変化に合わせて、あるいは住人の多様なニーズに応えて、比較的容易にリフォームできるようにしたものである。
【特許文献１】特開２００５−３０７５１５号公報
【発明の開示】
【発明が解決しようとする課題】
【０００３】
ところで、ＳＩ住宅において、間取りの可変性を実現するには、着脱可能な間仕切壁が求められる。
特に、床や天井や間仕切壁以外の壁が施工済みの状態で、間仕切壁を設置可能であるとともに、間仕切壁を解体したときには、床や天井や間仕切壁以外の壁が元通りの状態に復元可能であることが好ましい。
そこで、本発明は、枠部材を所定の長さに切断して下枠とし、この下枠を、床用面材の上面における間仕切り壁を構築しようとする位置に固定し、また、枠部材を所定の長さに切断して上枠とし、この上枠を、下枠と平行になるようにして、天井用面材の下面における間仕切り壁を構築しようとする位置に固定し、さらに、枠部材を下枠の上面から上枠の下面までの距離に合った長さに切断して縦枠とし、この縦枠を、下枠と上枠との間の所定位置に複数立設し、そして、下枠、上枠および複数の縦枠によって形成される枠体に、壁用面材を固定して、間仕切壁とすることにより、床や天井や間仕切壁以外の壁が施工済みの状態でも間仕切壁を設置可能であるとともに、間仕切壁を解体したときには床や天井や間仕切壁以外の壁が元通りの状態に復元可能な住宅を提供することを目的とする。
【課題を解決するための手段】
【０００４】
本発明は、住宅に係るものであって、四角柱状の長尺の部材である枠部材10を所定の長さに切断して形成される下枠20、上枠30および複数の縦枠40と、各縦枠40と下枠20との係合および各縦枠40と上枠30との係合に用いられる複数の係合具50と、下枠20、上枠30および複数の縦枠40によって形成される枠体に固定される壁用面材60とを用いて間仕切壁が構築されるものであり、枠部材10は、両小口以外の４面のうち、いずれかの対向する２面に、それぞれ、一方の小口から他方の小口まで至る長溝11が形成され、下枠20は、枠部材10を所定の長さに切断して形成されるものであって、長溝11が形成された２面のうちいずれか一方を上向きにして、床用面材80の上面における間仕切り壁を構築しようとする位置に固定され、上枠30は、枠部材10を所定の長さに切断して形成されるものであって、長溝11が形成された２面のうちいずれか一方を下向きにし、かつ、下枠20と平行になるようにして、天井用面材90の下面における間仕切り壁を構築しようとする位置に固定され、各縦枠40は、枠部材10を下枠20上面から上枠30下面までの距離に合った長さに切断して形成されるものであって、長溝11が形成された２面のうちいずれか一方を隣接する他の縦枠40側へ向けて、下枠20と上枠30との間の所定位置に立設され、各係合具50は、基部51と、基部51の一端から基部51に対してほぼ垂直方向へ向けて突出する第１突出片52と、基部51における第１突出片52とは反対側の端部から基部51に対してほぼ垂直方向へ向けてかつ第１突出片52と対向するように突出する第２突出片53とを有し、各縦枠40の下端においては、各係合具50は、第１突出片52および第２突出片53を上向きにされ、第１突出片52を縦枠40の一方の長溝11に、第２突出片53を縦枠40の他方の長溝11に、それぞれ差し込まれるともに、基部51を下枠20上面の長溝11に差し込まれ、これにより、各縦枠40と下枠20とが係合し、各縦枠40の上端においては、各係合具50は、第１突出片52および第２突出片53を下向きにされ、第１突出片52を縦枠40の一方の長溝11に、第２突出片53を縦枠40の他方の長溝11に、それぞれ差し込まれるとともに、基部51を上枠30下面の長溝11に差し込まれ、これにより、各縦枠40と上枠30とが係合していることを特徴とする。
【０００５】
ここで、「枠部材10」は、四角柱状の長尺の部材であって、両小口以外の４面のうち、いずれかの対向する２面に、それぞれ、一方の小口から他方の小口まで至る長溝11が形成されているものである。また、長溝11は、枠部材10の長手方向に沿って、枠部材10の軸と平行に形成される。また、対向する２面に形成される両長溝11は、等幅かつ平行とされる。また、長溝11の幅や深さは、枠部材10の寸法に応じて適宜決めることができる。そして、枠部材10を所定の長さに切断することにより、下枠20、上枠30および縦枠40が形成される。つまり、枠部材10は、下枠20、上枠30および縦枠40の材料となる。逆に言えば、下枠20、上枠30および縦枠40は、同一の枠部材10から構成される。このようにして、部材の共通化が図られている。
【０００６】
また、「下枠20」は、枠部材10を所定の長さに切断して形成されるものであって、長溝11が形成された２面のうちいずれか一方を上向きにして、床用面材80の上面における間仕切り壁を構築しようとする位置に固定されるものである。つまり、下枠20は、長溝11が形成された２面のうち、いずれか一方を上向きにし、他方を下向きにして、床用面材80の上面に固定される。また、下枠20の床用面材80への固定は、例えば、釘70やビス70などを用いて行うことができる。また、釘70やビス70は、長溝11内に打つことが好ましい。また、通常は床用面材80の強度が十分高いことから、下枠20は、床用面材80にのみ固定すれば足りるが、床用面材80のみならず、床用面材80を支持する根太にも、釘70やビス70で固定してもよい。
【０００７】
また、「上枠30」は、枠部材10を所定の長さに切断して形成されるものであって、長溝11が形成された２面のうちいずれか一方を下向きにし、かつ、下枠20と平行になるようにして、天井用面材90の下面における間仕切り壁を構築しようとする位置に固定されるものである。つまり、上枠30は、長溝11が形成された２面のうち、いずれか一方を下向きにし、他方を上向きにして、天井用面材90の下面に固定される。また、上枠30は、下枠20と平行になるように、天井用面材90の下面に固定される。また、上枠30の天井用面材90への固定は、下枠20と同様に、例えば、釘70やビス70などを用いて行うことができる。また、釘70やビス70は、下枠20と同様に、長溝11内に打つことが好ましい。また、通常は天井用面材90の強度が十分ではないことから、上枠30は、天井用面材90のみならず、天井用面材90を支持する野縁にも、釘70やビス70で固定することが好ましい。
【０００８】
また、「縦枠40」は、枠部材10を下枠20の上面から上枠30の下面までの距離に合った長さに切断して形成されるものであって、長溝11が形成された２面のうちいずれか一方を隣接する他の縦枠40側へ向けて、下枠20と上枠30との間の所定位置に複数立設されるものである。つまり、縦枠40は、下枠20の上面から上枠30の下面までの距離に合った長さに枠部材10を切断して形成される。また、縦枠40は、下枠20と上枠30との間に複数立設される。また、縦枠40は、垂直に立設される。また、各縦枠40は、長溝11が形成された２面のうち、いずれか一方を、隣接する他の縦枠40側へ向けて、下枠20と上枠30との間に立設される。つまり、隣り合う２本の縦枠40は、長溝11が形成された２面のうちのいずれか一方を、互いに向かい合わせるようにして、下枠20と上枠30との間に立設される。また、各縦枠40と下枠20との係合、および各縦枠40と上枠30との係合には、後述する係合具50が用いられる。
【０００９】
また、「係合具50」は、各縦枠40と下枠20との係合、および各縦枠40と上枠30との係合に用いられるものである。つまり、係合具50は、各縦枠40の上下の端部にそれぞれ装着される。このため、例えば、下枠20と上枠30との間に１０本の縦枠40が立設される場合には、合計２０個の係合具50が用いられる。また、各係合具50は、基部51と、基部51の一端から基部51に対してほぼ垂直方向へ向けて突出する第１突出片52と、基部51における第１突出片52とは反対側の端部から基部51に対してほぼ垂直方向へ向けてかつ第１突出片52と対向するように突出する第２突出片53とを有する。つまり、各係合具50は、所定間隔をあけて互いに対向する第１突出片52および第２突出片53を有するとともに、第１突出片52および第２突出片53の端部同士を連結する基部51を備える。これにより、各係合具50は、「コ」の字形をしている。また、係合具50は、上述したように、各縦枠40の上下の端部にそれぞれ装着されるものであるが、このとき、第１突出片52は、一方の長溝11に、第２突出片53は、他方の長溝11に、それぞれ挿入される。また、基部51は、下枠20あるいは上枠30の長溝11に挿入される。このため、第１突出片52および第２突出片53の幅は、長溝11の幅とほぼ等しいか、長溝11の幅よりも狭く形成される。また、第１突出片52および第２突出片53は、長溝11内にすっぽりと収まるような大きさおよび形状にすることが好ましい。そうすると、下枠20と上枠30との間に、２本の縦枠40を隙間なく並べて、つまり、２本の縦枠40をぴったりと合わせて、立設することができる。また、基部51の幅も、長溝11の幅とほぼ等しいか、長溝11の幅よりも狭く形成される。また、基部51も、長溝11内にすっぽりと収まるような大きさおよび形状にすることが好ましい。さらに、樹脂などの弾性を有する材料を用いて、射出成型などにより、係合具50を一体的に形成し、このとき、第１突出片52および第２突出片53の相互の間隔が、基部51から離れるにしたがって次第に狭くなるようにし、さらに、第１突出片52と第２突出片53との間で最も広いところの間隔は、枠部材10の対向する２面に形成された両長溝11の底面の間隔よりも広く、かつ、第１突出片52と第２突出片53との間で最も狭いところの間隔は、枠部材10の対向する２面に形成された両長溝11の底面の間隔よりも狭くなるようにすることが好ましい。そうすると、第１突出片52と第２突出片53とで縦枠40を挟むようにして、係合具50を縦枠40の上下の端部に装着することができるようになる。
【００１０】
そして、各縦枠40と下枠20との係合は、以下のようにして行われる。
まず、係合具50の第１突出片52および第２突出片53を上向きにし、縦枠40の下端よりも下側から、第１突出片52を縦枠40の一方の長溝11に、第２突出片53を縦枠40の他方の長溝11に、それぞれ差し込む。そうすると、第１突出片52と第２突出片53とで縦枠40を挟むようにして、係合具50が縦枠40の下端に装着される。この状態で、係合具50の基部51を、下枠20の上面の長溝11に差し込む。そうすると、係合具50の基部51が下枠20の上面の長溝11に嵌まり込む。このようにして、各縦枠40の下端においては、各係合具50は、第１突出片52および第２突出片53を上向きにされ、第１突出片52を縦枠40の一方の長溝11に、第２突出片53を縦枠40の他方の長溝11に、それぞれ差し込まれるともに、基部51を下枠20の上面の長溝11に差し込まれ、これにより、各縦枠40と下枠20とが係合する。
【００１１】
また、各縦枠40と上枠30との係合は、以下のようにして行われる。
まず、係合具50の第１突出片52および第２突出片53を下向きにし、縦枠40の上端よりも上側から、第１突出片52を縦枠40の一方の長溝11に、第２突出片53を縦枠40の他方の長溝11に、それぞれ差し込む。そうすると、第１突出片52と第２突出片53とで縦枠40を挟むようにして、係合具50が縦枠40の上端に装着される。この状態で、係合具50の基部51を、上枠30の下面の長溝11に差し込む。そうすると、係合具50の基部51が上枠30の下面の長溝11に嵌まり込む。このようにして、各縦枠40の上端においては、各係合具50は、第１突出片52および第２突出片53を下向きにされ、第１突出片52を縦枠40の一方の長溝11に、第２突出片53を縦枠40の他方の長溝11に、それぞれ差し込まれるとともに、基部51を上枠30の下面の長溝11に差し込まれ、これにより、各縦枠40と上枠30とが係合する。
【００１２】
また、「壁用面材60」は、下枠20、上枠30および複数の縦枠40によって形成される枠体に固定されるものである。また、壁用面材60としては、例えば、ベニヤ板などの合板や、石膏ボードなどを用いることができる。また、壁用面材60は、下枠20と上枠30と左右の縦枠40によって形成される四角形の枠体にその周縁部を固定される。また、間仕切壁の強度を考慮すると、壁用面材60としては、一枚ものを用いることが好ましい。つまり、壁用面材60の左右両側の縁に相当する位置に、左右の縦枠40をそれぞれ立設することが好ましい。言い換えれば、左右の縦枠40を立設する位置は、壁用面材60の左右両側の縁に相当する位置とすることが好ましい。また、壁用面材60の枠体への固定は、つまり、壁用面材60の下枠20、上枠30および左右の縦枠40への固定は、例えば、釘70やビス70などを用いて行うことができる。また、壁用面材60に向き合う者から見て、壁用面材60の右側の縁に沿って設けた縦枠40を右縦枠41とし、同左側の縁に沿って設けた縦枠40を左縦枠42とすると、右縦枠41と左縦枠42との間に、１本または２本以上の縦枠40を設けることができる。また、右縦枠41と左縦枠42との間に設けた縦枠40を中間縦枠43とすると、壁用面材60は、中間縦枠43にも固定することが好ましい。また、壁用面材60の中間縦枠43への固定も、例えば、釘70やビス70などを用いて行うことができる。また、壁用面材60は、下枠20と上枠30と左右の縦枠40によって形成される四角形の枠体の両面に固定される。これにより、間仕切壁が構築される。
【発明の効果】
【００１３】
本発明によれば、枠部材を所定の長さに切断して下枠とし、この下枠を、床用面材の上面における間仕切り壁を構築しようとする位置に固定し、また、枠部材を所定の長さに切断して上枠とし、この上枠を、下枠と平行になるようにして、天井用面材の下面における間仕切り壁を構築しようとする位置に固定し、さらに、枠部材を下枠の上面から上枠の下面までの距離に合った長さに切断して縦枠とし、この縦枠を、下枠と上枠との間の所定位置に複数立設し、そして、下枠、上枠および複数の縦枠によって形成される枠体に、壁用面材を固定して、間仕切壁とすることにより、床や天井や間仕切壁以外の壁が施工済みの状態でも間仕切壁を設置可能であるとともに、間仕切壁を解体したときには床や天井や間仕切壁以外の壁が元通りの状態に復元可能な住宅を提供できる。
【００１４】
また、本発明によれば、枠部材を所定の長さに切断することにより、下枠、上枠および縦枠が形成される。つまり、下枠、上枠および縦枠は、同一の枠部材から構成されている。このため、部材の共通化が図られ、部材の製造や管理のコスト軽減が図れる。
さらに、本発明によれば、「コ」の字形の係合具で、各縦枠と下枠との係合、および各縦枠と上枠との係合がなされている。このため、施工が容易である。
【発明を実施するための最良の形態】
【００１５】
図１ないし図６は、本発明の実施の形態を示すものである。
図１は、下枠20の床用面材80への固定および上枠30の天井用面材90への固定を示す斜視図、図２は、縦枠40の上下の端部への係合具50の装着を示す斜視図、図３は、縦枠40の上下の端部に係合具50を装着した状態を示す斜視図、図４は、下枠20と上枠30との間への縦枠40の立設を示す斜視図、図５は、下枠20、上枠30および縦枠40から構成される枠体への壁用面材60の固定を示す斜視図、図６は、下枠20、上枠30および縦枠40から構成される枠体に壁用面材60を固定した状態を示す斜視図である。
本実施の形態に係る住宅は、床や天井や間仕切壁以外の壁が施工済みの状態で、間仕切壁を設置可能であるとともに、間仕切壁を解体したときには、床や天井や間仕切壁以外の壁が元通りの状態に復元可能としたものである。
【００１６】
具体的には、本実施の形態では、四角柱状の長尺の部材である枠部材10を所定の長さに切断して下枠20とし、この下枠20を、床用面材80の上面における間仕切り壁を構築しようとする位置に固定する。また、枠部材10を所定の長さに切断して上枠30とし、この上枠30を、下枠20と平行になるようにして、天井用面材90の下面における間仕切り壁を構築しようとする位置に固定する。さらに、枠部材10を下枠20の上面から上枠30の下面までの距離に合った長さに切断して縦枠40とし、この縦枠40を、下枠20と上枠30との間の所定位置に複数立設する。また、各縦枠40と下枠20との係合、および各縦枠40と上枠30との係合には、所定の係合具50を用いる。そして、下枠20、上枠30および複数の縦枠40によって形成される枠体に、壁用面材60を固定する。このようにして、間仕切壁を構築する。これにより、本実施の形態に係る住宅は、床や天井や間仕切壁以外の壁が施工済みの状態でも、間仕切壁を設置可能であるとともに、間仕切壁を解体したときには、床や天井や間仕切壁以外の壁が元通りの状態に復元可能となっている。
【００１７】
以下更に、本実施の形態に係る住宅について詳しく説明する。
（枠部材10）
図１ないし図６に示すように、枠部材10は、四角柱状の長尺の部材であって、両小口以外の４面のうち、いずれかの対向する２面に、それぞれ、一方の小口から他方の小口まで至る長溝11が形成されているものである。
また、本実施の形態では、枠部材10には、木材を用いている。
また、図１ないし図６に示すように、長溝11は、枠部材10の長手方向に沿って、枠部材10の軸と平行に形成されている。
【００１８】
また、対向する２面に形成されている両長溝11は、等幅かつ平行とされている。
そして、枠部材10を所定の長さに切断することにより、下枠20、上枠30および縦枠40が形成される。
つまり、枠部材10は、下枠20、上枠30および縦枠40の材料となるものである。
逆に言えば、下枠20、上枠30および縦枠40は、同一の枠部材10から構成されている。
このようにして、部材の共通化が図られている。
（下枠20）
下枠20は、枠部材10を所定の長さに切断して形成されるものであって、図１および図４〜図６に示すように、長溝11が形成された２面のうちいずれか一方を上向きにして、床用面材80の上面における間仕切り壁を構築しようとする位置に固定されるものである。
【００１９】
つまり、下枠20は、長溝11が形成された２面のうち、いずれか一方を上向きにし、他方を下向きにして、床用面材80の上面に固定される。
また、本実施の形態では、下枠20の床用面材80への固定は、釘70やビス70などを用いて行うようにしている。
また、本実施の形態では、釘70やビス70は、長溝11内に打つようにしている。
また、通常は床用面材80の強度が十分高いことから、下枠20は、床用面材80にのみ固定すれば足りるが、床用面材80のみならず、床用面材80を支持する根太にも、釘70やビス70で固定してもよい。
【００２０】
（上枠30）
上枠30は、枠部材10を所定の長さに切断して形成されるものであって、図１および図４〜図６に示すように、長溝11が形成された２面のうちいずれか一方を下向きにし、かつ、下枠20と平行になるようにして、天井用面材90の下面における間仕切り壁を構築しようとする位置に固定されるものである。
つまり、上枠30は、長溝11が形成された２面のうち、いずれか一方を下向きにし、他方を上向きにして、天井用面材90の下面に固定される。
また、上枠30は、下枠20と平行になるように、天井用面材90の下面に固定される。
【００２１】
また、本実施の形態では、上枠30の天井用面材90への固定は、下枠20と同様に、釘70やビス70などを用いて行うようにしている。
また、本実施の形態では、釘70やビス70は、下枠20と同様に、長溝11内に打つようにしている。
また、通常は天井用面材90の強度が十分ではないことから、上枠30は、天井用面材90のみならず、天井用面材90を支持する野縁にも、釘70やビス70で固定することが好ましい。
（縦枠40）
図４〜図６に示すように、縦枠40は、枠部材10を下枠20の上面から上枠30の下面までの距離に合った長さに切断して形成されるものであって、長溝11が形成された２面のうちいずれか一方を隣接する他の縦枠40側へ向けて、下枠20と上枠30との間の所定位置に複数立設されるものである。
【００２２】
つまり、縦枠40は、下枠20の上面から上枠30の下面までの距離に合った長さに枠部材10を切断して形成される。
また、図４〜図６に示すように、縦枠40は、下枠20と上枠30との間に複数立設される。
また、図４〜図６に示すように、縦枠40は、垂直に立設される。
また、図４〜図６に示すように、各縦枠40は、長溝11が形成された２面のうち、いずれか一方を、隣接する他の縦枠40側へ向けて、下枠20と上枠30との間に立設される。
つまり、隣り合う２本の縦枠40は、長溝11が形成された２面のうちのいずれか一方を、互いに向かい合わせるようにして、下枠20と上枠30との間に立設される。
【００２３】
また、各縦枠40と下枠20との係合、および各縦枠40と上枠30との係合には、後述する係合具50が用いられる。
（係合具50）
係合具50は、各縦枠40と下枠20との係合、および各縦枠40と上枠30との係合に用いられるものであって、図２および図３に示すように、各縦枠40の上下の端部にそれぞれ装着されるものである。
このため、例えば、下枠20と上枠30との間に１０本の縦枠40が立設される場合には、合計２０個の係合具50が用いられる。
【００２４】
また、図２および図３に示すように、各係合具50は、基部51と、基部51の一端から基部51に対してほぼ垂直方向へ向けて突出する第１突出片52と、基部51における第１突出片52とは反対側の端部から基部51に対してほぼ垂直方向へ向けてかつ第１突出片52と対向するように突出する第２突出片53とを有している。
つまり、各係合具50は、所定間隔をあけて互いに対向する第１突出片52および第２突出片53を有するとともに、第１突出片52および第２突出片53の端部同士を連結する基部51を備えている。これにより、各係合具50は、「コ」の字形をしている。
また、係合具50は、上述したように、各縦枠40の上下の端部にそれぞれ装着されるものであるが、このとき、第１突出片52は、一方の長溝11に、第２突出片53は、他方の長溝11に、それぞれ挿入され、また、基部51は、下枠20あるいは上枠30の長溝11に挿入される。
【００２５】
このため、本実施の形態では、第１突出片52および第２突出片53の幅は、長溝11の幅とほぼ等しいか、長溝11の幅よりもわずかに狭く形成されている。また、本実施の形態では、第１突出片52および第２突出片53は、長溝11内にすっぽりと収まるような大きさおよび形状に形成されている。これにより、本実施の形態では、下枠20と上枠30との間に、２本の縦枠40を隙間なく並べて、つまり、２本の縦枠40をぴったりと合わせて、立設することができるようにしている。
また、本実施の形態では、基部51の幅も、長溝11の幅とほぼ等しいか、長溝11の幅よりもわずかに狭く形成されている。また、本実施の形態では、基部51も、長溝11内にすっぽりと収まるような大きさおよび形状に形成されている。
【００２６】
また、本実施の形態では、係合具50は、弾性を有する樹脂材料を用いて射出成型により一体的に形成されている。
また、図２に示すように、本実施の形態では、第１突出片52および第２突出片53の相互の間隔は、基部51から離れるにしたがって次第に狭くなり、また、第１突出片52と第２突出片53との間で最も広いところの間隔は、枠部材10の対向する２面に形成された両長溝11の底面の間隔よりも広く、また、第１突出片52と第２突出片53との間で最も狭いところの間隔は、枠部材10の対向する２面に形成された両長溝11の底面の間隔よりも狭くなるようにしてある。これにより、第１突出片52と第２突出片53とで縦枠40を挟むようにして、係合具50を縦枠40の上下の端部に装着することができるようにしている。
【００２７】
ここで、図２に示すように、基部51、第１突出片52および第２突出片53の幅を「Ａ」とする。また、基部51の第１突出片52側端部から第２突出片53側端部までの長さを「Ｂ」とする。また、第１突出片52と第２突出片53との間で最も狭いところの間隔を「Ｃ」とする。また、長溝11の幅を「Ｘ」とする。また、枠部材10の長溝11が形成された面同士の間隔を「Ｙ」とする。また、両長溝11の底面の間隔を「Ｚ」とする。
本実施の形態では、「Ａ≦Ｘ」を満たすように形成されている。このため、本実施の形態では、基部51、第１突出片52および第２突出片53は、長溝11に挿入可能となっている。
また、本実施の形態では、「Ｂ≦Ｙ」を満たすように形成されている。このため、本実施の形態では、第１突出片52および第２突出片53は、長溝11内にすっぽりと収まるようになっており、２本の縦枠40を隙間なく並べて立設可能となっている。
【００２８】
また、本実施の形態では、「Ｃ＜Ｚ」を満たすように形成されている。このため、本実施の形態では、第１突出片52と第２突出片53とで縦枠40を挟むようにして、係合具50を縦枠40の上下の端部に装着可能となっている。
より具体的には、本実施の形態では、第１突出片52の先端付近における第２突出片53側の面に、第２突出片53方向へ向けて突出する第１圧接突起54が設けられているとともに、第２突出片53の先端付近における第１突出片52側の面には、第１突出片52方向へ向けて突出する第２圧接突起55が設けられている。また、第１突出片52の先端とは、第１突出片52における基部51とは反対側の端部を意味するものであり、また、第２突出片53の先端とは、第２突出片53における基部51とは反対側の端部を意味するものである。そして、本実施の形態では、第１圧接突起54および第２圧接突起55が設けられているところが、第１突出片52と第２突出片53との間で最も狭いところとなっており、また、第１圧接突起54と第２圧接突起55との間隔は、枠部材10の対向する２面に形成された両長溝11の底面の間隔よりも狭くなっている。そして、係合具50を各縦枠40の上下の端部に装着した際には、第１圧接突起54および第２圧接突起55が長溝11の底面に圧接するようになっており、これにより、第１突出片52と第２突出片53とで縦枠40を挟むようになっている。
【００２９】
（壁用面材60）
壁用面材60は、下枠20、上枠30および複数の縦枠40によって形成される枠体に固定されるものである。
また、本実施の形態では、壁用面材60として、石膏ボードを用いているが、石膏ボードに限られるものではなく、例えば、ベニヤ板などの合板を用いてもよい。
また、壁用面材60は、下枠20と上枠30と左右の縦枠40によって形成される四角形の枠体にその周縁部を固定される。
また、本実施の形態では、間仕切壁の強度を考慮して、壁用面材60として、一枚ものを用いている。つまり、本実施の形態では、壁用面材60の左右両側の縁に相当する位置に、左右の縦枠40をそれぞれ立設するようにしている。言い換えれば、本実施の形態では、左右の縦枠40を立設する位置は、壁用面材60の左右両側の縁に相当する位置としている。
【００３０】
また、本実施の形態では、壁用面材60の枠体への固定は、つまり、壁用面材60の下枠20、上枠30および左右の縦枠40への固定は、釘70やビス70などの固定具を用いて行うようにしている。
また、壁用面材60に向き合う者から見て、壁用面材60の右側の縁に沿って設けた縦枠40を右縦枠41とし、同左側の縁に沿って設けた縦枠40を左縦枠42とすると、図５に示すように、本実施の形態では、右縦枠41と左縦枠42との間に、２本の縦枠40を設けるようにしている。
そして、右縦枠41と左縦枠42との間に設けた２本の縦枠40をそれぞれ中間縦枠43とすると、本実施の形態では、壁用面材60は、中間縦枠43にも固定するようにしている。
【００３１】
また、本実施の形態では、壁用面材60の中間縦枠43への固定も、釘70やビス70などの固定具を用いて行うようにしている。
また、図示しないが、壁用面材60は、下枠20と上枠30と複数の縦枠40とによって形成される枠体の両面に固定されるものである。
（間仕切壁の施工方法）
まず、図１に示すように、枠部材10を所定の長さに切断して下枠20とし、この下枠20を、床用面材80の上面における間仕切り壁を構築しようとする位置に固定する。
次に、図１に示すように、枠部材10を所定の長さに切断して上枠30とし、この上枠30を、下枠20と平行になるようにして、天井用面材90の下面における間仕切り壁を構築しようとする位置に固定する。
【００３２】
次に、枠部材10を下枠20の上面から上枠30の下面までの距離に合った長さに切断して縦枠40とし、図４に示すように、この縦枠40を、下枠20と上枠30との間の所定位置に複数立設する。
ここで、各縦枠40と下枠20との係合は、以下のようにして行う。
まず、図２に示すように、係合具50の第１突出片52および第２突出片53を上向きにし、縦枠40の下端よりも下側から、第１突出片52を縦枠40の一方の長溝11に、第２突出片53を縦枠40の他方の長溝11に、それぞれ差し込む。そうすると、図３に示すように、第１突出片52と第２突出片53とで縦枠40を挟むようにして、係合具50が縦枠40の下端に装着される。この状態で、係合具50の基部51を、下枠20の上面の長溝11に差し込む。そうすると、係合具50の基部51が下枠20の上面の長溝11に嵌まり込む。このようにして、各縦枠40の下端においては、各係合具50は、第１突出片52および第２突出片53を上向きにされ、第１突出片52を縦枠40の一方の長溝11に、第２突出片53を縦枠40の他方の長溝11に、それぞれ差し込まれるともに、基部51を下枠20の上面の長溝11に差し込まれて、各縦枠40と下枠20とが係合する。
【００３３】
また、各縦枠40と上枠30との係合は、以下のようにして行われる。
まず、図２に示すように、係合具50の第１突出片52および第２突出片53を下向きにし、縦枠40の上端よりも上側から、第１突出片52を縦枠40の一方の長溝11に、第２突出片53を縦枠40の他方の長溝11に、それぞれ差し込む。そうすると、図３に示すように、第１突出片52と第２突出片53とで縦枠40を挟むようにして、係合具50が縦枠40の上端に装着される。この状態で、係合具50の基部51を、上枠30の下面の長溝11に差し込む。そうすると、係合具50の基部51が上枠30の下面の長溝11に嵌まり込む。このようにして、各縦枠40の上端においては、各係合具50は、第１突出片52および第２突出片53を下向きにされ、第１突出片52を縦枠40の一方の長溝11に、第２突出片53を縦枠40の他方の長溝11に、それぞれ差し込まれるとともに、基部51を上枠30の下面の長溝11に差し込まれて、各縦枠40と上枠30とが係合する。
【００３４】
また、上述したように、各縦枠40は、係合具50を用いて、下枠20および上枠30と係合される。このため、各縦枠40は、下枠20および上枠30の長手方向に沿って摺動可能となっている。つまり、各縦枠40は、下枠20の上面および上枠30の下面に形成された長溝11に沿ってスライド可能となっている。
またここで、壁用面材60の境目となる位置においては、図４〜図６に示すように、２本の縦枠40を隙間なく並べて立設する。２本の縦枠40のうち、一方の縦枠40には、一方の壁用面材60が固定され、他方の縦枠40には、隣接する壁用面材60が固定される。また、隙間なく並べて立設される２本の縦枠40は、千鳥打ちにした釘70またはビス70によって互いに固定する。もちろん、２本の縦枠40を互いに固定したとしても、下枠20および上枠30の長手方向に沿って摺動可能である。
【００３５】
またここで、間仕切壁の両端に相当する位置においても、図４および図５に示すように、２本の縦枠40を隙間なく並べて立設する。また、この場合においても、隙間なく並べて立設される２本の縦枠40は、千鳥打ちにした釘70またはビス70によって互いに固定する。ただ、この場合においては、２本の縦枠40のうち、外側の縦枠40にのみ、壁用面材60を固定し、内側の縦枠40には、壁用面材60を固定しなくてもよい。
次に、図５に示すように、下枠20、上枠30および複数の縦枠40によって形成される枠体に、壁用面材60を固定する。このとき、各縦枠40が下枠20および上枠30の長手方向に沿って摺動可能となっていることから、先に、壁用面材60を、固定しようとする位置に合わせ、その後に、縦枠40を、下枠20の上面および上枠30の下面に形成された長溝11に沿ってスライド移動させて、壁用面材60の左右の縁に対応する位置に合わせることができる。つまり、先に、壁用面材60の位置合わせをし、その後に、位置合わせをした壁用面材60の縁を目印にして、縦枠40の位置合わせをすることができる。もちろん、あらかじめ壁用面材60の寸法を測っておき、その寸法に合わせて縦枠40の立設位置を決め、そこに縦枠40をスライド移動させておいてもよい。そして、縦枠40の位置合わせをしたら、下枠20、上枠30および複数の縦枠40によって形成される枠体に、釘70やビス70などの固定具を用いて、壁用面材60を固定する。具体的には、釘70やビス70などの固定具を用いて、壁用面材60の右側の縁を、縦枠40としての右縦枠41に固定し、また、壁用面材60の左側の縁を、縦枠40としての左縦枠42に固定し、また、壁用面材60の下側の縁を、下枠20に固定し、また、壁用面材60の上側の縁を、上枠30に固定する。また、右縦枠41と左縦枠42との間に、縦枠40としての１本または２本以上の中間縦枠43を設けた場合には、これらにも、釘70やビス70などの固定具を用いて、壁用面材60を固定する。このようにして、壁用面材60は、その周縁部を、下枠20、上枠30および複数の縦枠40に固定されることとなる。また、各縦枠40は、壁用面材60を介して、下枠20および上枠30に間接的に固定されることとなる。
【００３６】
また、壁用面材60は、下枠20と上枠30と複数の縦枠40とによって形成される枠体の両面に固定する。そうすると、間仕切壁が構築される。
（作用・効果）
以上説明したように、本実施の形態によれば、枠部材10を所定の長さに切断して下枠20とし、この下枠20を、床用面材80の上面における間仕切り壁を構築しようとする位置に固定し、また、枠部材10を所定の長さに切断して上枠30とし、この上枠30を、下枠20と平行になるようにして、天井用面材90の下面における間仕切り壁を構築しようとする位置に固定し、さらに、枠部材10を下枠20の上面から上枠30の下面までの距離に合った長さに切断して縦枠40とし、この縦枠40を、下枠20と上枠30との間の所定位置に複数立設し、そして、下枠20、上枠30および複数の縦枠40によって形成される枠体に、壁用面材60を固定して、間仕切壁とすることにより、床や天井や間仕切壁以外の壁が施工済みの状態でも間仕切壁を設置可能であるとともに、間仕切壁を解体したときには床や天井や間仕切壁以外の壁が元通りの状態に復元可能な住宅を提供できる。
【００３７】
また、本実施の形態によれば、枠部材10を所定の長さに切断することにより、下枠20、上枠30および縦枠40が形成される。つまり、下枠20、上枠30および縦枠40は、同一の枠部材10から構成されている。このため、部材の共通化が図られ、部材の製造や管理のコスト軽減が図れる。
また、本実施の形態によれば、「コ」の字形の係合具50で、各縦枠40と下枠20との係合、および各縦枠40と上枠30との係合がなされている。このため、施工が容易である。
また、従来の考え方であれば、間仕切壁を構築しようとする際には、あらかじめ壁用面材60の寸法を測っておき、その寸法に合わせて縦枠40の立設位置を決め、その位置がわかるように下枠20や上枠30に目印を付けておき、その目印の位置に合わせて縦枠40を立て、そして、縦枠40の下端を釘70やビス70などの固定具で下枠20に直接固定するとともに、縦枠40の上端を同じく釘70やビス70などの固定具で上枠30に直接固定する、といったことが行われるところだが、本実施の形態によれば、各縦枠40が、下枠20の上面および上枠30の下面に形成された長溝11に沿ってスライド移動可能となっていることから、先に、壁用面材60を、固定しようとする位置に合わせ、その後に、縦枠40を、下枠20の上面および上枠30の下面に形成された長溝に沿ってスライド移動させて、壁用面材60の左右の縁に対応する位置に合わせることができる。つまり、先に、壁用面材60の位置合わせをし、その後に、位置合わせをした壁用面材60の縁を目印にして、縦枠40の位置合わせをすることができる。このため、あらかじめ壁用面材60の寸法を測り、その寸法に合わせて縦枠40の立設位置を決め、その位置に目印を付け、その目印の位置に合わせて縦枠40を立てる、という手間が省ける。
【００３８】
その上、縦枠40が係合具50によって下枠20および上枠30に仮留めされることから、縦枠40の下端を釘70やビス70などの固定具で下枠20に直接固定する手間、および縦枠40の上端を釘70やビス70などの固定具で上枠30に直接固定する手間が省ける。
しかも、縦枠40が下枠20および上枠30に直接固定されることはないものの、壁用面材60を介して間接的に固定されることから、間仕切壁としては十分な強度を発揮する。
【図面の簡単な説明】
【００３９】
【図１】下枠の床用面材への固定および上枠の天井用面材への固定を示す斜視図
【図２】縦枠の上下の端部への係合具の装着を示す斜視図
【図３】縦枠の上下の端部に係合具を装着した状態を示す斜視図
【図４】下枠と上枠との間への縦枠の立設を示す斜視図
【図５】下枠、上枠および縦枠から構成される枠体への壁用面材の固定を示す斜視図
【図６】下枠、上枠および縦枠から構成される枠体に壁用面材を固定した状態を示す斜視図
【符号の説明】
【００４０】
10  枠部材
11  長溝
20  下枠
30  上枠
40  縦枠
41  右縦枠
42  左縦枠
43  中間縦枠
50  係合具
51  基部
52  第１突出片
53  第２突出片
54  第１圧接突起
55  第２圧接突起
60  壁用面材
70  釘またはビス
80  床用面材
90  天井用面材
【図１】
2009191536.tif 000003
【図２】
2009191536.tif 000004
【図３】
2009191536.tif 000005
【図４】
2009191536.tif 000006
【図５】
2009191536.tif 000007
【図６】
2009191536.tif 000008